(57)【要約】  底板と、上記底板の後端に固定され、垂直に配置された背板と、上記底板および背板の両方の側端に固定され、垂直に配置された側板と、上記底板および背板に固定され、上記側板に平行に、かつ、上記側板と側板との間に位置付けられている複数の仕切板と、上記側板、上記仕切板および上記背板に固定された天板とを備える、ファイル、書籍または書類の保管用キャビネットであって、位置決めおよび解除可能固定手段が別の板に当接する各板端に沿って設けられ、上記側板および仕切板の区域がこれらを補強するために肋材が設けられ、上記底板の下面および上記天板の上面は、複数の上記キャビネットが積層配置されたときに位置決め機能を行うために協働する相補的な形状で作製されている。
2015506239.tif 000002
【特許請求の範囲】
【請求項１】
底板と、前記底板の側方端に固定され、垂直に配置された側板と、前記底板に固定され、前記側板に平行に、かつ、前記側板と側板との中間に位置付けられている１つ以上の仕切板と、前記底板と前記側板および前記仕切板との後端に固定されている垂直に配置された背板と、前記側板、前記仕切板および前記背板の上、または、前記側板、前記仕切板および前記背板に固定されている天板とを備え、前記側板、前記仕切板、前記背板および前記天板の所定の位置での連続的な固定が既に固定された板を所定の位置で位置決めし、確実にロックするために作用する、ファイル、書籍または書類などの保管用キャビネットであって、前記側板および前記仕切板の全ての端の周りに設けられた補強用肋材が、物品が前記キャビネットへ収容されること、または、前記キャビネットから引き出されることへの妨害を防止するために、前記板の開放端で前記板に融合され、複数の位置決めおよび解除可能固定手段が前記側板、前記仕切板および前記背板の下端、後端および上端のうちのいずれかに設けられ、前記固定手段が前記底板、前記背板および前記天板のうちのいずれかに設けられている相補的な手段と協働し、前記天板の上面が小さい物品のための入れ物を提供すること、および、複数の前記キャビネットが積層配置構成にあるときに位置決め機能を提供するために前記底板の下側の相補的な形状と協働することの二重の機能を有する相補的な形状で作製され、前記キャビネットは、多重積層の能力があり、構成部品の取り除きなしで激しい取り扱いに耐えることが可能であり、適切な固定方法が利用される場合には、容易に分解しうる、堅固かつ安全な構造に容易に組み立てられる、キャビネット。
【請求項２】
前記底板、前記背板、前記側板、前記仕切板および前記天板は、適切な、多少剛性のあるポリマー材料から成形されている、請求項１に記載のキャビネット。
【請求項３】
前記底板、前記背板、前記側板、前記仕切板および前記天板は、適切なシートポリマーまたはシートメタル材料から打抜き加工または型押し加工されている、請求項１に記載のキャビネット。
【請求項４】
前記底板、前記背板、前記側板、前記仕切板および前記天板は、再生木材から成形されている、請求項１に記載のキャビネット。
【請求項５】
前記底板、前記背板、前記側板、前記仕切板および前記天板は、適切な金属材料から鋳造されている、請求項１に記載のキャビネット。
【請求項６】
前記側板および前記仕切板の外側の支持されていない端が外側端リブによって補強されている、請求項１に記載のキャビネット。
【請求項７】
前記側板の内面および前記仕切板の対向する面上のこれらの外側端に向かう肋材が前記板の面に融合するように前記外側端リブから内向きに延在し、前記肋材は、前記端リブが前記キャビネットから引き出されているファイルなどの動きを妨害する傾向を除去する、請求項１または６に記載のキャビネット。
【請求項８】
前記側板および前記仕切板の外側下端を越えて外向きに突出する前記底板の前方部分が薄い外側端まで下向きに傾斜するエプロンに形成され、前記エプロンは、前記オープンファイルキャビネットまで差し出されているファイルなどの動きへの妨害を最小限に抑えている、請求項１に記載のキャビネット。
【請求項９】
板が装飾またはラベリングのシステムを収容するために前記側板の外面に設けられている、請求項１に記載のキャビネット。
【請求項１０】
板が製造元の銘版またはその他の装飾のシステムを収容するために前記エプロンに設けられ、前記板は、場合によっては、デカール、貼り付けラベルなどを収容するために僅かに窪みを付けられている、請求項８に記載のキャビネット。
【請求項１１】
前記底板は、その後端に、頑丈な隆起レールが設けられ、前記レールは、前記キャビネットの内部に勢いよく入れられるファイルなどの下端の衝撃に耐えるために十分に丈夫にされている、請求項１に記載のキャビネット。
【請求項１２】
前記頑丈な隆起レールは、前記背板の下端の相補的な形状で割り出すように形成されている、請求項１または１１に記載のキャビネット。
【請求項１３】
前記側板および前記仕切板は、その上端、後端および下端に沿って端リブで作製され、前記リブは、前記外側端リブとほぼ同じ幅を有し、一体的なヘッドまたはキャップを有する複数の取り付けラグが前記リブに固定されている、請求項１に記載のキャビネット。
【請求項１４】
前記底板、前記背板および前記天板の内面には、隆起取り付けレールが設けられ、前記隆起取り付けレールは、前記側板および前記仕切板の端リブに当接する隆起面と、前記固定手段の延長部分を収容する反対側の空間と、物品が前記キャビネットに詰められるときに物品の下側端を案内する隆起端とを提供する、請求項１に記載のキャビネット。
【請求項１５】
前記取り付けラグに相補的なキーホール型取り付け開口部が前記レールの当接面に設けられ、各々の前記開口部は、前記取り付けラグの前記ヘッドまたはキャップが自由に通過する大きい方の開口部と、ここから延在する、前記取り付けラグを収容するためにちょうど十分な幅を有するスロット型開口部とを備え、前記大きい方の開口部を通る前記ヘッドまたはキャップの差し込みと、前記スロット型開口部への前記取り付けラグの縦方向の移動とは、効果的に捕捉された前記ヘッドまたはキャップが、これを前記ラグおよび前記ラグが上に形成された親構成部品と一緒に所定の位置に保つという結果をもたらしている、請求項１３または１４に記載のキャビネット。
【請求項１６】
前記側板および前記仕切板は、前記底板取り付けレールの前記キーホール型取り付け開口部内でこれらの前記ラグを捕捉するために、またそれによって、前記側板および前記仕切板を前記底板に固定するために、前記背板に向かって後方に移動される、請求項１３、１４または１５に記載のキャビネット。
【請求項１７】
前記背板は、前記背板取り付けレールの前記キーホール型取り付け開口部内で前記側板および前記仕切板の前記ラグを捕捉するために下向きに移動され、それによって、前記背板を前記側板および前記仕切板に固定し、前記背板の下端の前記相補的な形状を使った前記隆起レールの前記形成された部分の前記割り出しは、前記側板および前記仕切板の前記取り付け手段を前記底板から係合解除しうるその外向きの移動を阻止するように作用する、請求項１２、１３、１４、１５または１６に記載のキャビネット。
【請求項１８】
前記天板は、前記天板取り付けレールの前記キーホール型取り付け開口部内で前記側板および前記仕切板の前記ラグを捕捉するために後方に移動され、それによって、前記天板を前記側板および前記仕切板に固定し、前記天板の後端の内面に設けられた短い、隆起した丸みを帯びた端は、前記天板を所定の位置に締め付けるために前記背板の端に「カチッと嵌まる」、請求項１４、１５または１６に記載のキャビネット。
【請求項１９】
適切なサイズおよび形状を有する開口部が軽量化の目的のため前記仕切板に設けられている、請求項１に記載のキャビネット。
【請求項２０】
前記側板および前記仕切板の端は、前記端に沿って設けられた複数の分離した、座付き取り付けプラグを前記底板、前記背板および前記天板の隆起取り付け溝に設けられた相補的な取り付け開口部を通して押し込むことにより前記底板、前記背板および前記天板に固定され、前記取り付けプラグの座部が前記取り付け溝の内側端を弾性係合し、その後、引き出すことが不可能になる、請求項１に記載のキャビネット。
【請求項２１】
前記底板は、平坦に作製され、フランジ付き端で支持面より上に隆起され、前記側板および前記仕切板の下端は、前記底板内のキーホール型取り付け開口部を係合する前記端上の一体的なヘッドまたはキャップ付きの複数の取り付けラグによって前記底板に固定され、この配置構成は、前記底板内に付加的な前記取り付け開口部の列を設けることを許容し、それによって、前記仕切板のより柔軟性のある位置付けを可能にする、請求項１に記載のキャビネット。
【請求項２２】
前記側板および前記仕切板の端は、適切な急速硬化接着剤を使用して前記底板、前記背板および前記天板に接合され、短い差込口が前記接合手順中に前記側板および前記仕切板を位置決めするために前記底板、前記背板および前記天板に設けられている相補的な開口部で割り出すように前記側板および前記仕切板の端に設けられている、請求項１に記載のキャビネット。
【請求項２３】
前記側板および前記仕切板の端は、前記底板、前記背板および前記天板内の適切に配置された開口部を通過する適切なねじ締結具を使用して前記底板、前記背板および前記天板に固定され、適切な隆起部が前記ねじ締結具を受け入れるために前記側板および前記仕切板の端に沿って設けられている、請求項１に記載のキャビネット。
【請求項２４】
前記底板、前記背板および前記天板の前記隆起取り付けレールは、削除され、前記側板および前記仕切板の端に相補的な溝によって置き換えられ、前記溝は、前記接合またはねじ締結手順中に前記側板および前記仕切板の下端を位置決めするために役立っている、請求項１４、２２または２３に記載のキャビネット。
【請求項２５】
前記側板および前記仕切板の外側の支持されていない端の上方部分は、前記キャビネット内部に収容されているファイルなどの背部領域を見せるために実質的に切り取られ、それによって、ファイルなどが引き出しのため把持されることを実現し易くする、請求項１に記載のキャビネット。
【請求項２６】
前記側板および前記仕切板の外側の支持されていない端は、直線状に作製され、支持面と略垂直に揃えられ、適切に配置された局部的な切り取り部が前記キャビネット内部に収容されているファイルなどの背部領域を見せるために設けられ、それによって、ファイルなどが引き出しのため把持されることを実現し易くする、請求項１に記載のキャビネット。
【請求項２７】
前記底板の面は、前記キャビネット内部に収容されたファイルなどの引き出しを実現し易くするために前方へ向かって下向きに、または、前記キャビネット内部に収容されたファイルなどをより良く保持するために後方に向かって下向きに傾斜されている、請求項１に記載のキャビネット。
【請求項２８】
前記キャビネットの持ち上げを実現し易くするために前記側板の外面にハンドルが設けられ、前記ハンドルは、好ましくは、前記背板が下向きに向けられた前記キャビネットの持ち上げを実現し易くするために配置され、それによって、ファイルなどの安全な運搬のための前記キャビネットの使用を可能にする、請求項１に記載のキャビネット。
【請求項２９】
ハンドルは、適切な板に固定され、前記板は、相補的な取り付け開口部を係合する一体的なヘッドもしくはキャップ付きの取り付けラグ、または、その他の適切な締結具を使用して前記側板の外面に一時的に固定され、前記ハンドルは、前記キャビネットがその通常の直立した姿勢で、または、前記背板が下向きに向けられた状態で持ち上げられることを可能にする所定の位置に固定されている、請求項１に記載のキャビネット。
【請求項３０】
前記キャビネットは、内部に収容されているファイルを保護するために旋回カバーが設けられ、前記カバーには、前記カバーが持ち上げられるとき前記側板の外面に形成された軌道に沿って走行するラグまたはローラーが設けられ、適切な移動止めが前記カバーをその開位置で位置決めするために前記軌道の内側端部に設けられ、適切な持ち上げ用ハンドルが前記カバーをその閉位置でロックする適切な手段と一緒に前記カバーに設けられ、前記カバーの下端は、前記底板の外側端に形成された前記エプロンを収容するために必要に応じて切り取られている、請求項１に記載のキャビネット。
【請求項３１】
前記側板および前記仕切板の支持されていない前端は、直線状に作製され、前記天板の前端から旋回する単一のカバーが設けられ、適切な持ち上げ用ハンドルが前記カバーをその開位置で支える適切な手段、および、前記カバーをその閉位置でロックする適切な手段と共に前記カバーに設けられている、請求項１に記載のキャビネット。
【請求項３２】
前記側板および前記仕切板の支持されていない前端は、直線状に作製され、前記側板の前端から旋回する２つの扉が設けられ、前記扉をその閉位置でロックする適切な手段と共に適切なハンドルが前記扉に設けられている、請求項１に記載のキャビネット。
【請求項３３】
前記側板の後端リブは、前記リブの内側端を係合する前記背板の内面上の複数の爪部によって前記背板に固定され、前記爪部は、前記背板の側方端に隣接して適切に配置された列に設けられ、位置決め目的のため、適切なダウエルが前記背板内の相補的な開口部を係合するために前記リブに設けられている、請求項１に記載のキャビネット。
【請求項３４】
前記仕切板の後端リブは、前記リブの両方の端を係合する前記背板の内面上の複数の爪部によって前記背板に固定され、前記爪部は、適切に配置された、平行な列に配置され、交互に、または、対向する対に配置されている、請求項１に記載のキャビネット。
【請求項３５】
第１の板の端リブは、第２の板の内面に設けられた複数の爪部による前記端リブの係合により前記第２の板に固定され、前記爪部は、適切に配置された、平行な列に配置され、交互に、または、対向する対に配置されている、請求項１に記載のキャビネット。
【請求項３６】
前記仕切板の後端リブは、前記背板の内面に形成された適切に配置された平行なレールの対の間に形成された溝を係合する前記後端リブの外面に形成されたキー溝によって前記背板に固定され、前記キー溝の深さは、前記溝の深さより僅かに小さく、前記キー溝の厚さは、これらが前記溝との軽圧入を行うことを可能にする程度であり、凹型および凸型の略半円筒形状の適切に配置された対が前記キー溝の片側に沿って形成され、逆の意味の形状の対が、各々の前記凸型形状が凹型形状によって対向され、各々の前記凹型形状が凸型形状によって対向されるように、第１の形状の対に直ちに対向する前記キー溝のもう一方側に形成され、相補的な形状が完全な相補性で前記キー溝の前記形状を受け入れるように前記レールに形成され、前記キー溝および前記レールの前記半円筒形状は、これらの面が一致する近似円筒の直径が前記溝の底または前記キー溝の自由端部に向かって僅かに増加するように作製され、このテーパの程度は、１．０から４．０度の範囲に入り、前記キー溝を前記溝内の位置に押し進めることは、前記キー溝の前記形状に前記レールの前記相補的な形状を係合させ、前記キー溝の前記形状の自由端部の僅かに大きい直径は、前記レールに別々に弾性的な歪みを生じさせ、前記背板および前記レールの材料は、このような歪みを受け入れるために適切に補強弾性があり、前記溝内の前記キー溝の完全な着座は、丈夫な取り付けを行うために作用する、請求項１に記載のキャビネット。
【請求項３７】
前記キー溝の前記形状は、複数の適切に離間した、対向する半円筒凸部の形状を有し、前記溝側面の前記形状は、相補的な対向する半円筒凹部の形状を有し、前記相補的な半円筒凸部および凹部は、より確実な係合を行うために僅かにテーパ状にされている、請求項３６に記載のキャビネット。
【請求項３８】
前記キャビネットが積層配置構成で使用されない場合、小さい文房具物品を収容するトレイが前記天板の上面に形成されている、請求項１に記載のキャビネット。
【請求項３９】
小さい文房具物品を収容するトレイが前記側板の外面に固定されている、請求項１に記載のキャビネット。
【請求項４０】
連結モジュールが横並び配置構成で２台の前記キャビネットを１つに結合するために利用され、前記連結モジュールは、前記キャビネットの１つのファイル区画の幅を有する狭い底板、背板および天板を備え、前記連結モジュールの板の側方端に沿って設けられた一体的なヘッドまたはキャップ付きの複数の取り付けラグが２台の前記ファイルキャビネットの前記底板、前記背板および前記天板の隣接する側方端に設けられた相補的なキーホール型取り付け開口部を係合し、それによって、単一のより幅広いユニットを作り出すために２台の前記キャビネットを１つに結合する、請求項１記載のキャビネット。
【請求項４１】
よりすっきりした外観を呈するために、前記取り付けラグは、前記側板の後端から削除されている、請求項１３に記載のキャビネット。
【請求項４２】
前記側板には、前記底板、前記背板および前記天板の通常見える端を覆うために、その上端および／または後端および／または下端の周りに位置付けられた、適切な幅を有するスカート部が設けられている、請求項１に記載のキャビネット。
【請求項４３】
ラベルが前記オープンファイルキャビネットの各区画の上に設けられ、前記ラベルは、前記天板の外側端から枢軸的に支承され、ファイルの取り出しを実現し易くするために上向きに歪むように適合されている、請求項１に記載のキャビネット。
【請求項４４】
ラベルが前記側板および前記仕切板の前端から枢軸的に支承され、または、前記底板の前端上に形成された前記エプロンに形成された、もしくは、貼り付けられたホルダ内で運搬される、請求項１に記載のキャビネット。
【請求項４５】
適切な材料製の適切に形成された有色の細長い片がカラーコーディングの目的のため前記側板、前記仕切板および前記天板の外側端にクリップ留めされている、請求項１に記載のキャビネット。
【請求項４６】
外殻を板の外面に接合することにより前記板に平坦な外面が板に設けられ、前記外殻は、好ましくは、前記板の周辺に設けられた、隆起端によって位置決めされている、請求項１に記載のキャビネット。
【請求項４７】
前記底板には、この底板の側方端に沿った平行な隆起取り付けレールと、側方端の中間に位置付けられた平行な隆起取り付けレールと、底板の後端に沿った隆起取り付けレールとが設けられ、前記取り付けレールは、各々が前記側板、前記仕切板および前記背板の下端リブによってそれぞれ当接される面を有し、前記取り付けレールの前記当接する面に形成されたキーホール型取り付け開口部は、前記側板、前記仕切板および前記背板の前記下端リブに形成された取り付けラグに相補的であり、前記取り付け開口部内での前記ラグの捕捉は、前記ラグが上に形成されている親構成部品を所定の位置に固定するために作用し、前記隆起取り付けレールは、前記取り付けラグの延長部分を収容する反対側の空間と、物品が前記キャビネットに詰められるときに物品の下側端を案内する隆起端とを提供する、請求項１に記載のキャビネット。
【請求項４８】
前記底板は、その下方外側端の周りを貫通する連続フランジによって支持面より僅かに上に隆起され、複数の浅い、横の、下向きに突出するウェブが支持面に接触する前記底板の下側に設けられ、それによって、前記底板に加えられた負荷に対抗して前記底板の大部分を支持するために作用し、前記底板の下側にある溝が前記取り付けレールの形成の結果として生成され、前記溝を横切るウェブが剛性を追加するために設けられ、一部または全部の前記キーホール型取り付け開口部の前記狭い部分に対して横向きに配置された小さい凹部が前記取り付けラグのヘッドまたはキャップの上面に設けられた小さい相補的な凸部を係合するために設けられ、前記相補的な形状は、前記取り付けラグが前記キーホール型取り付け開口部と適切に係合されたとき、確実な「クリック」係合を行い、複数の浅い、弓状に配置された、下向きに突出するウェブが前記底板の下側に設けられ、前記ウェブは、２台以上の前記キャビネットが積層配置構成にあるとき、下の方にある前記キャビネットの前記天板の外側端を係合するように位置付けられ、前記弓状に配置されたウェブは、積層配置構成で、上の方にある前記キャビネットの前記底板の片持ち外側部分を補強するために作用する前方に延在するバットレスで作製されている、請求項１に記載のキャビネット。
【請求項４９】
前記背板は、その下端リブに沿って形成された２つ以上の取り付けラグで作製され、前記取り付けラグは、底板の後端に沿った前記隆起取り付けレールに設けられたキーホール型取り付け開口部に相補的であり、前記背板は、前記取り付け開口部の前記大きい方の部分を通して前記取り付けラグのヘッドまたはキャップを差し込み、次に、前記取り付けラグの前記ヘッドが前記取り付け開口部の前記狭い部分の下側で捕捉されるように適切な方向で側方に前記背板を移動することによって、前記底板に固定され、前記小さい相補的な凸部および凹部は、前記取り付けラグが前記キーホール型取り付け開口部と適切に係合されているとき、確実な「クリック」係合を行う、請求項１または４８に記載のキャビネット。
【請求項５０】
前記側板および前記仕切板は、同一に作製され、適切な開口部が軽量化の目的のため前記側板および前記仕切板に設けられ、肋材が剛性を改善するために前記開口部の端の周りに設けられ、前記側板および前記仕切板の支持されていない外側端は、前記キャビネット内部に収容されたファイルなどの把持を実現し易くするために適切な切り取り領域で作製されている、請求項１に記載のキャビネット。
【請求項５１】
前記側板および前記仕切板は、これらの下端、後端および上端に沿って肋材を使って作製され、２つ以上の取り付けラグがこれらの下端リブに沿って形成され、前記取り付けラグは、前記底板の前記平行な隆起取り付けレールに沿って設けられたキーホール型取り付け開口部に相補的であり、前記側板および前記仕切板は、前記取り付け開口部の前記大きい方の部分を通して前記取り付けラグのヘッドまたはキャップを差し込み、次に、前記取り付けラグの前記ヘッドが前記取り付け開口部の前記狭い部分の下側で捕捉されるように、前記仕切板および前記側板を後方に移動することによって、前記底板に固定され、前記小さい相補的な凸部および凹部は、前記取り付けラグが前記キーホール型取り付け開口部と適切に係合されたときに確実な「クリック」係合を行う、請求項１または４８に記載のキャビネット。
【請求項５２】
前記背板は、その内面に形成された平行な垂直に配置された端溝および平行な垂直に配置された中間溝で作製され、前記溝は、前記底板の前記取り付けレールと一致して位置付けられ、前記仕切板および前記側板が前記底板に適切に固定されているとき、前記側板および前記仕切板の後端リブを受け入れるように適合され、前記溝の上方部分に設けられた適切な開口部が前記側板および前記仕切板の後端リブに形成された爪付きタブを収容し、前記爪付きタブは、前記側板および前記仕切板が前記底板に適切に固定されているとき、前記開口部を通って延在し、前記タブの爪部は、前記開口部を通過するとき、前記開口部の端面によって弾性的に歪められ、次に、前記開口部の端面を係合し、前記背板との前記爪部の係合は、前記側板および前記仕切板を前記背板に確実に締め付け、前記側板および前記仕切板は、前記開口部の前記外面端との係合から前記爪部を解除するために前記爪付きタブを側方に歪め、それによって、前記タブが前記開口部を通して引き出されることを許容することによって取り外すことが可能である、請求項１に記載のキャビネット。
【請求項５３】
１つ以上のスプリング付きタブが前記背板の上端に設けられ、前記タブは、自由に弾性的に移動されるように、スロットによって前記背板から分離され、前記スプリング付きタブの上方自由端部には、前記天板が前記側板および前記仕切板と前記背板とに適切に組み付けられたとき、前記天板上の相補的なストライカ部を係合するように適合されている爪部が設けられ、それによって、前記天板を所定の位置に締め付け、パッドが、前記タブを歪めるように指圧を前記タブに印加することを実現し易くするために、またそれによって、前記天板のストライカ部との前記爪部の係合を解除し、前記天板の係合解除および取り外しを可能にするために、前記スプリング付きタブに形成されている、請求項１に記載のキャビネット。
【請求項５４】
前記側板および前記仕切板は、その上端に沿った水平リブで作製され、前記リブは、前記側板および前記仕切板の大部分とほぼ同じ厚さを有する短いウェブ上で前記板の上端リブから支持され、前記ウェブは、複数の中間補強バーによって補強され、各々の前記リブの外側端部が突出する先端部の中に形成され、前記天板の下側の前記側方端に沿って形成された側方端溝と、前記天板の下側にある前記端溝と平行に形成された中間溝と、前記天板の下側の後端に沿って形成された後端溝とは、前記側板、前記仕切板および前記背板の位置付けとそれぞれ一致され、横線に配置され、前記側方端に位置決めされたアンカーラグと、これらの外側端部に向かう中間溝とは、前記アンカーラグと前記天板の下側との間に前記先端部を収容するように適合され、前記先端部の直ぐ下にある各々の前記ウェブの外側端は、各々の前記アンカーラグの内側端に形成された切り目に捕捉され、前記天板は、前記アンカーラグが前記先端部まで差し出され、かつ、前記先端部と係合され得るように前記天板を傾け、前記係合の視覚的な確認と共に、前記先端部との前記アンカーラグの係合を維持するために内向きに押し進める間に前記天板を水平位置まで下げることにより、前記側板および前記仕切板と前記背板とに組み付けられ、前記天板の前記水平位置付けは、前記側板および前記仕切板の前記リブを前記天板の下側に形成された前記側方溝および前記中間溝に差し込み、前記背板の上端に形成された前記リブを前記天板の後端の下側に形成された前記溝に差し込み、前記スプリング付きタブの上方端部は、前記天板の内側端に形成された前記ストライカ部の角度が付けられた端に接触する前記爪部によって同時に前方へ弾性的に歪められ、前記爪部は、前記ストライカ部の端の上に載り、この端を係合する、請求項１に記載のキャビネット。
【請求項５５】
１つ以上のバットレスが前記ストライカ部との係合位置にある前記スプリング付きタブの直ぐ前方で前記天板の下側に設けられ、前記バットレスは、指圧がこれらの前記パッドに印加されたとき、前記スプリング付きタブの内向き弾性歪を制限するために作用している、請求項５４に記載のキャビネット。
【請求項５６】
前記キャビネットの分解は、前記天板を前記側板、前記仕切板および前記背板に設置し、前記側板および前記仕切板を前記底板および前記背板に設置し、前記背板を前記底板に設置する前記手順の逆によって実施され、前記スプリング付きタブは、前記天板の後端を解除するように弾性的に歪められ、前記側板および前記仕切板の後端リブ上の前記爪付きタブは、前記側板および前記仕切板を解除するために前記背板内の前記開口部の外側端面からこれらを係合解除するように弾性的に歪められる、請求項１に記載のキャビネット。
【請求項５７】
２台以上の前記キャビネットが積層配置構成にあるとき、上にあるキャビネットの前記底板の周りを通る連続フランジまたはスカート部の後方部分の下方内側端に設けられた１つ以上の爪部は、内部に形成された窪み部を係合するために下にある前記天板の外側後方面の上を下に進むように弾性的に歪められ、前記天板の外側端との前記底板の下側に形成された前記強化された、弓状に配置されたウェブの当接と、前記窪み部との前記爪部の係合とは、下にある前記天板の上で上にある前記底板を確実に位置決めするために作用する、請求項１または４８に記載のキャビネット。
【請求項５８】
本出願に記載された様々な取り付け手段のいずれか、または、これらのいずれかの組み合わせは、様々な前記板を互いに取り付けるために利用される、請求項１に記載のキャビネット。
【請求項５９】
小さい窪み部が適切な弾性ポリマーから作製された緩衝材を収容するために前記底板の下側の適切な位置に設けられ、好ましくは、跡を付けない前記緩衝材は、前記キャビネットが設置された面に跡を付けることを防止し、かつ、前記キャビネットが滑らかな面上で滑ることを防止するために作用する、請求項１に記載のキャビネット。
【請求項６０】
組み立て可能に保管、運搬または販売され、購入者もしくは取得者によって容易に組み立てられるように特に適合されている、請求項１に記載のキャビネット。
【発明の詳細な説明】
【技術分野】
【０００１】
本発明は、背部が縦に、かつ、使用し易い向きに配置された物理的に大型の形状を有する事務ファイル、カタログ、アルバム、名簿またはその他の書籍などの物品を収容するために使用されるキャビネットに関する。より詳しくは、本発明は、組立式で提供され、特別な工具を使用せずに多少の剛性を有する構成部品から購入者によって容易に組み立てられるこのようなキャビネットに関する。
【背景技術】
【０００２】
頻繁な参照が必要とされる物理的に大型の形状を有するファイル、カタログ、アルバム、名簿またはその他の書籍などの物品の保管において、これらの背部が見えるようにされ、これらの物品が容易に識別、把握、および引き出される位置で縦向きにされた状態で、該物品がオープンキャビネット内に支持されていると便利である。このような保管の態様は、このような容易な出し入れを行えない広く使用されている引き出し型のファイルより好ましい。オープンファイルキャビネットという用語は、本出願の全体を通して、当技術分野で知られた、概して、底板と、側板と、背板と、天板と、必要に応じて、側壁に平行に位置付けられた、垂直に配置された中間仕切板とを備える配置構成を表すために使用される。ファイルという用語は、本出願の全体を通して、物理的に大型の形状を有するファイル、カタログ、アルバム、名簿、または、その他の書籍などの物品を表すために使用される。
【０００３】
オープンファイルキャビネットは、一般に、シートメタルと、木材と、ポリマーと、再生木材と、圧縮繊維板と、段ボール紙とから作製されている。例として、米国特許第３，７３７，０４６号、第５，７９７，６６５号および第６，０５６，３７７号においてＪｅｔｅｒによって教示された、必要に応じて、適切な留め具を使って組み立てられる折り畳み式シートメタルから作製されたオープンファイルキャビネットが挙げられる。木材または木材代替材料における簡単な例は、一般に、建具店によって作製され、特許文献には記載されていない。オープンファイルキャビネットの製造で使用されうる構成の方法を示す段ボール紙物品は、米国特許第４，０８０，０２３号においてＢｌａｉｒによって、米国特許第６，６２８，８４２号においてＷｒｉｇｈｔによって、および、米国特許第４，５０６，７９０号においてＭｕｓｃａｒｉによって教示された段ボール紙物品である。シートメタル製、木材製または木材代替材料製のオープンファイルキャビネットは、丈夫かつ頑丈であり、積み重ねられることがあるが、これらは、多くの場合に、現代のオフィス環境に適った実用的な外観を有する。これらは、鋭い端を含み、重くなることがあり、形成済みの状態または、組み立てられた状態で販売された場合、嵩張り、取り扱いに不便なことがある。ユーザによって組み立てられることが必要とされる場合、通常では工具の使用にある程度の技術が必要とされる。安価かつ簡単に組み立てることができるが、段ボール紙製のオープンファイルキャビネットは、多くの場合、安っぽく、見かけが頑丈ではなく、審美的に見栄えがしない。これらの軽量性は、破損され易く、使用中に急速に劣化する傾向がある。このようなオープンファイルキャビネットは、概して、積み重ね不可能であり、重い物品がこれらに載せられると、圧縮破損を受けることが多い。
【発明の概要】
【発明が解決しようとする課題】
【０００４】
本発明の目的は、審美的に魅力的なデザインを有し、軽量かつ丈夫であり、工具の使用なしで容易に組み立てることができ、共通の構成部品が異なった構成に組み込まれることを可能にする配置構成がモジュラー型であり、積み重ね可能であり、場合によっては、装飾システムを組み込み、場合によっては、装飾が加えられ、場合によっては、ラベリングシステムを組み込み、場合によっては、閉鎖部を組み込み、保管されている物品が容易に識別され、把握され、引き出されることを可能にさせ、物理的に大型の形状を有するファイル、カタログ、アルバム、名簿またはその他の書籍などの物品の安全な運搬のために使用することができるオープンファイルキャビネットを提供することにある。
【課題を解決するための手段】
【０００５】
本発明によれば、底板と、側板と、背板と、天板と、側板に平行に位置付けられ、垂直に配置された中間仕切板とを備えるオープンファイルキャビネットが提供される。上記底板の上面は、上記側板、背板および仕切板の相補的な下端を係合し、位置決めするために形成されている。上記背板の内面は、上記側板、底板、天板および仕切板の相補的な内側端を係合し、位置決めするために形成されている。上記天板の下面は、上記側板、背板および仕切板の相補的な上端を係合し、位置決めするために形成されている。上記底板、側板、背板、天板および仕切板は、好ましくは、適切な場合に、補強用肋材が設けられている適切な多少の剛性を有するポリマー材料から成形されている。適切な取り付け手段が上記底板、背板および天板の相補的な取り付け手段と協働するように上記側板および仕切板の上記端に組み込まれている。頑丈な隆起レールが上記オープンファイルキャビネット内に勢いよく入れられるファイルの下端の衝撃を安全に受け止めるために上記底板の後端に設けられている。上記底板および天板の外側端は、魅力的な外観を呈するように形成されている。装飾のシステムは、場合によっては、上記側板の外面に成形されている。装飾のシステムは、場合によっては、上記底板、天板、側板および仕切板の外側端に加えられる。ラベリングのシステムは、場合によっては、上記天板、側板または仕切板の外側端に加えられている。上記側板および仕切板の外側端は、ファイルの背部領域が見えるように、かつ、これらが把握され、引き出されることを実現し易くするために適切に切り取られる。上記底板の外側端は、ファイルが上記オープンファイルキャビネットまで差し出されるのを妨害する傾向を最小限に抑えるために傾斜を付けられている。ハンドルが、場合によっては、上記オープンファイルキャビネットの持ち上げを実現し易くし、ファイルの安全な運搬にこれを使用することを可能にするために上記側板の外面に設けられている。旋回カバーが、場合によっては、上記オープンファイルキャビネットの開放端部を閉鎖し、それによって、その中に収容されているファイルを保護するために設けられている。上記天板の上面および上記底板の下面は、積み重ね中に係合し、１つの上記オープンファイルキャビネットをもう１つの上に確実に位置決めする相補的な形状が設けられている。より多くの上記取り付け手段が、場合によっては、種々の離間関係の組み合わせで上記仕切板の相補的な端を選択的に係合し、位置決めするために上記底板の上記上面、上記背板の内面、および、上記天板の下面に設けられている。上記底板、天板および背板は、場合によっては、幅がより広くもしくはより狭くされ、より広いもしくはより狭い幅を有する上記オープンファイルキャビネットが標準的な側板および仕切板を使用してこれらから組み立てられる。小さい文房具物品を収容するトレイが、場合によっては、上記天板の上面に形成されるか、または、上記側板の外面に固定されている。連結モジュールが、場合によっては、２台の上記オープンファイルキャビネットを１つに結合するために設けられている。
【０００６】
本発明の様々な態様は、添付図面に関連して与えられた以下の好ましい実施形態の説明を参照して、より容易に理解されるものである。
【図面の簡単な説明】
【０００７】
【図１】本発明の上記底板の上面図である。
【図２】本発明の上記仕切板の図である。
【図３】本発明の上記背板の内面図である。
【図４】本発明の上記天板の下面図である。
【図５】本発明の代替的な実施形態の部分横断面図である。
【図６】本発明の上記仕切板と上記背板および上記底板との接合の部分縦断面図である。
【図７】本発明の一実施形態の上記仕切板と上記底板との接合の部分横断面図である。
【図８】本発明の別の実施形態の上記仕切板と上記底板との接合の横断面図である。
【図９】旋回カバーを組み込む本発明の実施形態の側面図である。
【図１０】背板への側板の接合の部分横断面図である。
【図１１】背板への仕切板の接合の部分横断面図である。
【図１２】仕切板を背板に固定するために仕切板の後端に形成された固定手段の部分側面図である。
【図１３】仕切板を背板に固定するために背板の内面に形成された相補的な固定手段の部分正面図である。
【図１４】本発明の上記底板の代替的な実施形態の上面の正面図である。
【図１５】図１４の底板の下面の正面図である。
【図１６】本発明の上記背板の代替的な実施形態の内面の正面図である。
【図１７】図１６の背板の外面の正面図である。
【図１８】本発明の仕切板または側板の代替的な実施形態の正面図である。
【図１９】図１８の仕切板または側板の外側下方部分の部分正面図である。
【図２０】図１８の仕切板または側板の外側上方部分の部分斜視図である。
【図２１】本発明の上記天板の代替的な実施形態の下面の正面図である。
【図２２】図２１の天板の上面の正面図である。
【図２３】図２１の天板の外側部分の部分正面図である。
【図２４】図２１の天板の内側部分の部分斜視図である。
【図２５】図１５の底板の内側部分の部分斜視図である。
【発明を実施するための形態】
【０００８】
様々な図は、異なった縮尺で示されているが、このことから意味または意義が得られるべきではない。本出願の明細書本文および特許請求の範囲において、外側、外向き、前方および正面という語句は、上記キャビネットの開放前部に向かう方向を示すことが意図され、内側、後方、後向き、および背という語句は、上記キャビネットの閉鎖背部に向かう方向を示すことが意図されている。
【０００９】
本発明による図１，２，３，４を参照すると、底板１と、上記底板の側方端に沿って設けられた取り付け手段に固定されている（図５，９では４２として示される）側板２と、背板３と、天板４と、上記側板に平行に位置付けられた、複数の垂直に配置された中間仕切板２とを備える、オープンファイルキャビネットが提供される。上記底板の相補的な取り付け手段（全体的に７として示されている位置および配置構成）に固定された下端（図示せず）に取り付け手段が設けられているので、上記側板は、本質的に、上記仕切板と同じ配置構成だが、開口部５と、場合によっては、一方の面上の肋材６とが削除されている。開口部５は、軽量化の目的のため上記仕切板に設けられている。上記側板および仕切板の支持されていない外側端３１は、外側端リブ３０によって補強されている。表面肋材６は、上記仕切板の両面、場合によっては、上記側板の片面もしくは両面に設けられ、上記側板および上記仕切板の側面に融合するように上記外側端リブの端から次第に細くなり、同時に、上記側板および仕切板の上記支持されていない端を補強し、ファイルが上記オープンファイルキャビネットから引き出される動きを上記端リブが妨害する傾向を除去する目的に寄与する。上記仕切板の外側下端を越えて外向きに突出する上記底板の部分は、薄い外側端まで下向きに傾斜するエプロン２２の中に形成され、この傾斜面は、上記オープンファイルキャビネットまで差し出されるファイルの動きへの妨害を最小限に抑える。上記底板の後端は、前記背板の相補的な下端９で割り出しを行い、この下端を位置決めするために手段８が設けられている。上記仕切板の下端１１に設けられている取り付け手段（図示せず）は、上記底板の上面に設けられている相補的な取り付け手段（全体的に１０として示されている位置および配置構成）に固定されている。上記側板の後端（図示せず）と上記仕切板の後端１４とに設けられている取り付け手段（図示せず）は、上記背板の内面に設けられている相補的な取り付け手段（全体的に１２，１３として示されている位置および配置構成）に固定されている。上記側板（図示せず）の上端に設けられている取り付け手段（図示せず）は、上記天板の下面に設けられている（全体的に１６，１７として示されている）相補的な取り付け手段に固定されている。
【００１０】
好ましい実施形態では、上記底板、側板、背板、天板および仕切板は、好ましくは、適切な場合には補強用肋材が設けられている、適切な多少の剛性を有するポリマー材料から成形されている。代替的な実施形態（図示せず）では、上記板は、適切なシートポリマーもしくはシートメタル材料から打抜き加工もしくは型押し加工され、または、再生木材から成形されるか、もしくは、適切な金属材料から鋳造される。
【００１１】
頑丈な隆起レール１８は、上記オープンファイルキャビネット中に勢いよく入れられるファイル（図示せず）の下端の衝撃を安全に受け止めるように、上記底板の後端を補強するために上記後端に設けられている。好ましい実施形態では、上記底板の外側端１９および上記天板の外側端２１は、魅力的な外観を呈するために相補的な曲線で形成されている。代替的な実施形態（図示せず）では、上記外側端は、直線状に、または、対称的な一連の交差直線で作製されている。好ましい実施形態では、板（図示せず）が装飾のシステムを収容するために（図９に４２として示されている）上記側板の外面に設けられている。さらに、好ましい実施形態では、板２０が製造元の銘版またはその他の装飾のシステムを収容するために傾斜エプロン２２に設けられている。上記板は、場合によっては、デカール、貼り付けラベルなどを収容するために僅かに窪みを付けられている。
【００１２】
図６，７，１０，１１をさらに参照すると、容易な分解を可能にする本発明の実施形態では、上記側板および仕切板２は、一体的な上端リブ２９、内側端リブ２８および下端リブ２３で作製されている。上記端リブは、外側端リブ３０とほぼ同じ幅で作製されている。上記上端リブ、内側端リブおよび下端リブに、外側端部に形成された一体的なキャップ２７を有する複数の取り付けラグ２６が固定されている。上記底板、背板および天板は、隆起取り付けレール１０，１３，１７が設けられ、上記取り付けレールは、それぞれが上記測板および仕切板の上記端リブに当接する面を有する。上記取り付けレールの上記当接面に、上記取り付けラグに相補的なキーホール型取り付け開口部が形成されている。上記キーホール型取り付け開口部は、当該技術において周知であり、各々は、上記取り付けラグの上記ヘッドが自由に通過する大きい方の開口部と、ここから延在し、上記取り付けラグを収容するためにちょうど十分な幅を有するスロット型開口部とを備える。上記ヘッドが上記大きい方の開口部に入り、上記取り付けラグが上記スロット型開口部の中へ縦方向に移動すると、効果的に捕捉された上記ヘッドが、上記ラグと、上記ラグが上に形成されている親構成部品と一緒に、これを所定の位置に保持する。上記オープンファイルキャビネットを組み立てるために、上記側板および仕切板は、上記底板、および、上記底板の取り付け開口部２４，２５と係合し、取り付け開口部２４，２５内に捕捉された上記取り付けラグの上に置かれる。好ましい実施形態では、上記取り付けラグは、上記側板および仕切板を後方に移動させることによって捕捉される。上記側板および仕切板が上記底板に固定された状態で、上記背板の取り付け開口部３２，３３は、上記側板および仕切板の後端リブ２８に設けられた取り付けラグ３４と係合し、上記取り付けラグは、下端９が上記底板の後端に設けられた窪み部８を完全に係合するように上記背板を下向きに移動させることにより捕捉される。上記窪み部との上記背板の下端の係合は、上記取り付けラグを上記底板から係合解除しうる上記側板および仕切板の前方への動きを阻止するのに寄与する。上記側板および仕切板の上記内側端が上記背板に固定された状態で、上記天板の取り付け開口部（図示せず）は、上記側板および仕切板の上方リブ２９に設けられている取り付けラグ（図示せず）と係合する。好ましい実施形態では、上記取り付けラグは、上記天板の内面に設けられた短い隆起した丸みを帯びた端３６が上記背板の取り付け溝１２，１３の内側端にカチッと嵌まるように上記天板を後方に移動させることにより捕捉され、それによって、上記天板を所定の位置に固定する。上記オープンファイルキャビネットは、上記組み立て手順を逆にすることにより分解される。
【００１３】
図８をさらに参照すると、容易な分解を可能にしない本発明の実施形態では、上記オープンファイルキャビネットは、上記端に沿って設けられた複数の分離した、座付き取り付けプラグを隆起取り付け溝１０，１３，１７に設けられた取り付け開口部を通して押し込むことにより、上記側板および仕切板の端を上記底板、背板、および天板に固定することによって組み立てられる。図８に示されるように、分割された、座付き取り付けプラグ３７は、下端リブ２３に沿って設けられている。相補的な取り付け開口部３８は、取り付け溝１０に沿って設けられている。上記取り付け開口部を通して上記取り付けプラグを完全に押し込むことは、上記取り付けプラグの座部４０を上記取り付け溝の内側端に弾性係合し、その結果、引き出される可能性がなくなる。
【００１４】
図５を参照すると、代替的な実施形態では、底板１は、フランジ付き端４１の支持面より上に隆起され、側板４２および仕切板２の下端は、（図６および７に関連して記載されているように）一体的なキャップ２７付きの複数の取り付けラグ２６によって底板に固定され、上記底板に設けられたキーホール型取り付け開口部と係合されている。本実施形態の利点は、付加的な上記取り付け開口部の列が、場合によっては、上記仕切板の選択的な位置付けを可能にするために上記底板に設けられてもよいことである。
【００１５】
代替的な実施形態（図示せず）では、上記側板および仕切板の端が、適切な急速硬化接着剤を使用して上記底板、背板および天板に接合される。本実施形態では、上記接合プロセス中に上記側板および仕切板を位置決めするために、短い差込口が上記底板、背板および天板に設けられた相補的な開口部で割り出すように上記側板および仕切板の端に設けられている。別の代替的な実施形態（図示せず）では、上記側板および仕切板の端は、上記底板、背板、および天板に適切に配置された開口部を通る適切なねじ締結具を使用して上記底板、背板および天板に固定されている。（図７に４８として破線で示されている）適切な隆起部が上記ねじ締結具を受け入れるために上記側板と仕切板の端に沿って設けられている。明らかに、（図１，３，４に示されているように）取り付け溝１０，１３，１７は、上記側板および仕切板を上記底板、背板および天板に固定するために利用された方法に従って、より深く、もしくは、より浅く形成されても、または、完全に削除されてもよい。代替的な実施形態（図示せず）では、上記取り付け溝は、隆起される代わりに、降下され、上記側板および仕切板の端を収容し、位置決めするのに寄与する。
【００１６】
再び図２，９を参照すると、好ましい実施形態では、上記側板および仕切板の外側端３１の上方部分は、上記オープンファイルキャビネットに保管されたファイルの背部を見えるようにし、それによって、ファイルを引き出すために把握し易くするために実質的に切り取られる。代替的な実施形態（図示せず）では、上記側板および仕切板の外側端３１は、直線状に作製され、支持面と略垂直に揃えられ、適切に配置された局部的な切り取り部が上記オープンファイルキャビネットに保管されたファイルの背部領域を見せるために設けられ、それによって、ファイルが引き出しのため把握されることを実現し易くする。その他の代替的な実施形態（図示せず）では、上記底板の面は、オープンファイルキャビネットに保管されたファイルの引き出しを実現し易くするために前方へ向かって下向きに、または、上記オープンファイルキャビネットに保管されたファイルをより良く保持するために後方に向かって下向きに傾斜される。
【００１７】
別の代替的な実施形態（図示せず）では、ハンドルが、場合によっては、上記オープンファイルキャビネットの持ち上げを実現し易くするために上記側板の外面に設けられている。上記ハンドルは、好ましくは、上記背板が下向きに向けられた上記オープンファイルキャビネットの持ち上げを実現し易くするために配置され、それによって、ファイルの安全な運搬のための上記オープンファイルキャビネットの使用を可能にする。別の代替的な実施形態では、上記ハンドルは、適切な板に固定され、上記板は、（全体として、図６，７に関連して、２６，２７として示され、記載されたタイプの）一体的なキャップ付きの取り付けラグ、または、その他の適切な締結具を使用して上記側板の外面に一時的に固定されている。本実施形態では、上記ハンドルは、場合によっては、上記オープンファイルキャビネットがその通常の直立した姿勢で、または、背板が下向きに向けられた状態で持ち上げられることを可能にする所定の位置に固定されている。
【００１８】
図９を参照すると、上記オープンファイルキャビネットは、場合によっては、内部に保管されたファイルを保護するために旋回カバー４３が設けられている。上記カバーは、上記カバーが持ち上げられるとき側板４２の外面に形成された軌道４５に沿って走行するラグまたはローラー（４４として示された位置）を備える。適切な移動止め（図示せず）が上記カバーをその開位置で位置決めするために上記軌道の内側端部に設けられ、上記カバーの重量は、上記移動止めで、上記天板と背板の交点に沿って支えられている。適切な持ち上げ用ハンドル４６が上記カバーに設けられている。上記カバーの閉位置は、４７として波線で示されている。上記カバーの下端は、好ましくは、（図１に示されているように）エプロン２２を収容するために切り取られている。
【００１９】
代替的な実施形態（図示せず）では、上記側板の自由端は、直線状に作製され、上記天板の前端から旋回する単一のカバーが設けられている。適切な持ち上げ用ハンドルが上記カバーをその開位置で支える適切な手段と共に前記カバーに設けられている。別の代替的な実施形態（図示せず）では、上記側板の自由端は、直線状に作製され、上記側板の自由端から旋回する２つのカバーが設けられている。適切な持ち上げ用ハンドルが上記カバーに設けられている。全ての上記カバーは、場合によっては、これらをその閉位置でロックするために適切な手段が設けられている。
【００２０】
図１０を参照すると、代替的な実施形態では、側板４２の後端リブ２８は、上記リブの内側端を係合する複数の爪部によって背板３に固定されている。上記爪部は、上記背板の側方端に隣接して適切に配置された列で設けられている。上記例が利用された場合、確実な位置決め目的のため、適切なダウエル（図示せず）が、好ましくは、上記リブの外面に設けられ、上記背板に設けられた適切な相補的な開口部（図示せず）を係合する。
【００２１】
図１１を参照すると、代替的な実施形態では、仕切板２の後端リブ２８は、上記リブの両方の端を係合する複数の爪部５２，５３によって背板３に固定されている。好ましくは、上記爪部は、適切に配置された、平行な列に配置され、交互に位置付けられている。代替的な実施形態では、上記爪部は、対向する対に配置されている。明らかに、同様の配置構成が本発明のいずれかの板をいずれかの他の板に固定するために容易に適合されてもよい。
【００２２】
図１２，１３を参照すると、仕切板２の後端リブ２８は、上記背板の内面に形成された適切に配置されたレールの対５４，５５の間で溝５９を係合する上記後端リブの外面に形成されたキー溝５６を位置決めすることにより背板３に固定されている。上記位置決めキー溝の深さは、上記溝の深さより僅かに小さく、上記キー溝の厚さは、これらが上記溝との軽圧入を行うことを可能にする程度である。上記位置決めキー溝の片側に沿って、一方が凹型であり、もう一方が凸型である略半円筒形状６０，６１の適切に位置決めされた第１の対が形成されている。上記形状の第１の対にすぐ接して対向する上記キー溝のもう一方の側には、凸型形状６０がそれぞれ凹型形状によって対向され、凹型形状６１がそれぞれ凹型形状によって対向されているように反対の意味で略半円筒形状（図示せず）の第２の対が形成されている。溝５９の一方の側面には、一方が凹型であり、もう一方が凸型である略半円筒形状５７，５８の適切に位置決めされた第１の対が形成され、上記形状の対は、上記位置決めキー溝の形状６０，６１に相補的である。上記形状の第１の対の直ぐ近くに対向して上記溝の側面に隣接して、凹型形状５７が凸型形状６２に対向し、凸型形状５８が凹型形状６３に対向しているように反対の意味で略半円筒形状６２，６３の第２の対が形成されている。好ましい実施形態では、上記位置決めキー溝および上記溝の上記半円筒形状は、これらの面が一致する近似円筒の直径が上記溝の底または上記位置決めキー溝の自由端部に向かって僅かに増加するように作製されている。好ましい実施形態では、このテーパの程度は、１．０〜４．０度の範囲に入る。動作中に、上記位置決めキー溝の自由端部は、上記溝まで差し出され、上記キー溝は、上記溝の中の位置に圧入され、上記位置決めキー溝の上記相補的な形状は、上記溝の上記相補的な形状を係合する。上記位置決めキー溝の上記形状の上記自由端部は、上記溝の上記形状の外側端部より直径が僅かに大きいので、これらのレールは、上記溝側面の上記相補的な形状との上記位置決めキー溝形状の係合を可能にするために弾性的に別々に歪められる。明らかに、上記歪みを別々に起こすため、上記背板および上記レールは、適切な補強弾性材料から作製されるべきである。上記位置決めキー溝が上記溝内に完全に着座されたとき、上記位置決めキー溝形状および上記溝形状は、完全な相補性があり、これらの組み合わせは、丈夫な取り付けを行うために作用する。
【００２３】
代替的な実施形態（図示せず）では、上記レールの上記形状は、複数の適切に離間した、対向する半円筒凹部の形状を有し、上記位置決めキー溝の上記形状は、相補的な対向する半円筒凸部の形をなす。本実施形態では、上記凹部および凸部は、前述された方法で僅かにテーパ状にされている。
【００２４】
好ましい実施形態では、上記天板の上面および前記底板の下面は、積み重ね中に係合し、一方の上記オープンファイルキャビネットを別のオープンファイルキャビネットの上に位置決めする相補的な形状（図示せず）が設けられている。別の代替的な実施形態（図示せず）では、上記底板、背板および天板は、場合によっては、より大きい幅もしくはより小さい幅で作製され、より大きいもしくはより小さい幅を有する上記オープンファイルキャビネットの様々な構成が上記側板および仕切板の標準的な形式を使用してこれらから組み立てられる。
【００２５】
上記オープンファイルキャビネットが積み重ねられる予定がない代替的な実施形態（図示せず）では、小さい文房具物品を収容するトレイが、場合によっては、上記天板の上面に形成されている。別の代替的な実施形態（図示せず）では、小さい文房具物品を収容するトレイは、場合によっては、上記側板の外面に固定されている。
【００２６】
代替的な実施形態（図示せず）では、連結モジュールが、場合によっては、２台の上記オープンファイルキャビネットを１つに結合するために設けられている。上記連結モジュールは、上記オープンファイルキャビネットの１つのファイル区画の幅を有する狭い底板、背板および天板と、これらの側方端に沿って設けられている（図６，７に関連して記載されているように）一体的なキャップ２７付きの複数の取り付けラグ２６とを備える。上記取り付けラグおよびキャップは、２台の上記オープンファイルキャビネットの上記底板、背板および天板の隣接する側方端に設けられた相補的なキーホール型取り付け開口部と係合し、それによって、単一のより幅広いユニットを作り出すようにこれらを１つに結合する。
【００２７】
代替的な実施形態（図示せず）では、よりすっきりした外観を呈するために、上記取り付けラグが、上記側板の後端から削除される。別の代替的な実施形態（図示せず）では、上記側板は、上記底板、背板および天板の通常見える端を覆うために、その上端、後端および下端の周りに位置付けられた、適切な幅を有するスカート部が設けられる。別の代替的な実施形態（図示せず）では、ラベルが上記オープンファイルキャビネットの各区画の上に設けられ、ラベルは、上記天板の外側端から枢軸的に支承され、ファイルの取り出しを実現し易くするために上向きに歪むように適合されている。別の代替的な実施形態（図示せず）では、上記ラベルは、前記側板および仕切板の前端から枢軸的に支承されている。別の代替的な実施形態（図示せず）では、上記ラベルは、（図１に示されるように）エプロン２２に形成された、もしくは、貼り付けられたホルダ内で運搬される。
【００２８】
代替的な実施形態（図示せず）では、適切な材料製の適切に形成された有色の細長い片が装飾の目的のため上記側板、仕切板および天板の外側端にクリップ留めされている。
【００２９】
図７を参照すると、外殻を上記板の外面に接合することにより、平坦な外面が（図１，３，４に示されているように）隆起取り付け溝１０，１３，１７を有する板に設けられ、上記外殻は、好ましくは、上記板の周辺に設けられた、隆起端５０によって位置決めされる。
【００３０】
図１４を参照すると、代替的な実施形態では、底板１は、この底板の側方端に沿った平行な隆起取り付けレール６７と、側方端の間に位置付けられた平行な取り付けレール６８と、底板の内側端に沿った取り付けレール６４とが設けられ、上記取り付けレールは、各々が上記側板、仕切板および背板の下端リブによってそれぞれ当接される面を有する。上記取り付けレールの上記当接する面に、上記側板、仕切板、背板の上記下端リブに形成されている取り付けラグに相補的であるキーホール型取り付け開口部６５が形成されている。上記キーホール型取り付け開口部は、当該技術分野において周知であり、各々は、（図１９に８０として示す）上記取り付けラグの拡張ヘッドが自由に通過する大きい方の開口部と、ここから延在する（図１９に７９として示す）上記取り付けラグを収容するためにちょうど十分な幅を有するスロット型開口部とを備える。上記取り付けラグヘッドが上記大きい方の開口部を通って入り、上記取り付けラグが上記スロット型開口部の中へ縦方向に移動されると、効果的に捕捉された上記ヘッドは、上記ラグと、上記ラグが上に形成されている親構成部品と一緒に、これを所定の位置に保っている。好ましい実施形態では、上記底板の外側端１９と、（図２１，２２に２１として示す）上記天板の外側端とは、審美的に魅力的な外観を呈するように相補的な曲線で形成されている。代替的な実施形態（図示せず）では、上記外側端は、直線状に、または、対称的な一連の交差直線で作製されている。上記底板の外側上面は、薄い外側端まで下向きに傾斜するエプロン２２に形成され、この傾斜面は、上記オープンファイルキャビネットまで差し出されているファイルの動きへの何らかの妨害を最小限に抑える。好ましい実施形態では、適切な板（図示せず）が製造元の銘版またはその他の装飾のシステムを収容するために傾斜エプロン２２に設けられている。上記板は、場合によっては、デカール、貼り付けラベルなどを収容するために僅かに窪みを付けられている。
【００３１】
図１５を参照すると、上記底板は、その下方外側端の周りを貫通する連続フランジ７７によって支持面より上に隆起されている。複数の浅い、横の、下向きに突出するウェブ７２が上記底板の下側に設けられ、上記ウェブは、支持面に接触し、それによって、上記底板に加えられた負荷に対抗して上記底板の大部分を支持するために作用する。上記底板の下側にある溝６９，７０，７１は、上記取り付けレールの形成の結果として生成されている。上記溝を横切るウェブ１１５は、剛性を追加するために設けられている。一部または全部のキーホール型取り付け開口部６５の狭い部分と横向きに配置された小さい凹部７３，７４は、（図１９に８０として示す）取り付けラグのヘッドの上面に設けられた（図１９に７８として示す）小さい相補的な凸部を係合するために設けられ、上記相補的な形状は、上記取り付けラグが上記キーホール型取り付け開口部と適切に係合されたとき、確実な「クリック」係合を行う。複数の浅い、弓状に配置された、下向きに突出するウェブ７５が上記底板の下側に設けられ、上記ウェブは、２台以上の上記ファイルキャビネットが積層配置構成にあるとき、下にある上記ファイルキャビネットの（図２１，２２に２１として示す）天板の外側端を係合するように位置付けられている。好ましい実施形態では、上記弓状に配置されたウェブは、上記ファイルキャビネットが積層配置構成にあるとき、上記底板の片持ち外側部分を補強するために作用する前方に延在する部分８１で作製されている。
【００３２】
図１６および１７を参照すると、背板３は、この背板の下端リブに沿って形成された２つ以上の取り付けラグ８４で作製され、上記取り付けラグは、底板１の後端に沿って設けられたキーホール型取り付け開口部６５に相補的である。上記背板は、上記取り付け開口部の上記大きい方の部分を通して上記取り付けラグのヘッドを差し込み、次に、上記取り付けラグの上記ヘッドが上記取り付け開口部の上記狭い部分の下側で捕捉されるように適切な方向で側方に上記背板を移動することによって、上記底板に固定されている。小さい凸部８４が上記取り付けラグのヘッドの一部または全部の上面に設けられ、上記凸部は、（図１５に７３として示す）上記キーホール型取り付けアパーチャの狭い部分に横向きに設けられた小さい相補的な凹部を係合し、上記相補的な形状は、上記取り付けラグが上記キーホール型取り付け開口部と適切に係合されているとき、確実な「クリック」係合を行う。
【００３３】
図１８，１９をさらに参照すると、仕切および側板２は、同一に作製される。適切な開口部８７が軽量化の目的のため上記仕切および側板に設けられている。肋材９９が剛性を改善するために上記開口部の端の周りに設けられている。上記仕切および側板の外側端８５は、場合によっては、上記ファイルキャビネット内のファイルを把握し易くするために適切な切り取り（図示せず）で作製され、直線状に、または、図示された審美的に魅力的な葱花線形状に作製されている。上記仕切および側板は、各々がこれらの下端リブに沿って形成された２つ以上の取り付けラグ８３を用いて作製され、上記取り付けラグは、底板１の平行な隆起取り付けレール６７，６８に沿って設けられたキーホール型取り付け開口部６５に相補的である。上記仕切および側板は、上記取り付け開口部の上記大きい方の部分を通して上記取り付けラグのヘッドを差し込み、次に、上記取り付けラグの上記ヘッドが上記取り付け開口部の上記狭い部分の下側で捕捉されるように、上記仕切および側板を後方に移動することによって、上記底板に固定されている。上記ラグおよび開口部の一部または全部は、前述のタイプおよび機能性を有する上記小さい相補的な凸部および凹部で作製されている。上記背板は、その内面に形成された平行な垂直に配置された端溝８２および中間溝８３で作製され、上記溝は、上記底板の取り付けレール６７，６８と一致して位置付けられている。上記背板内の溝８２，８３は、上記仕切および側板が上記底板に適切に固定されているとき、上記仕切および側板の内側端リブを受け入れるように適合されている。開口部９５は、溝８２，８３の上方部分に設けられている。上記仕切および側板の内側端に形成された爪付きタブ８９は、上記仕切および側板が上記底板に適切に固定されたとき、上記開口部を通って延在し、上記タブの爪部９０が上記開口部の端によって弾性的に歪められ、次に、上記開口部の端の外面を係合する。上記背板との上記爪部の係合は、上記仕切および側板を上記背板に確実に締め付け、上記仕切および側板は、上記開口部の上記外面端との係合から上記爪部を解除するためにタブ８９を側方に歪め、それによって、上記タブが開口部９５を通して引き出されることを可能にすることによってしか取り外されることがない。隆起レール９７，９８は、溝８２，８３の形成の結果として上記背板の外側に生成されている。１つ以上のスプリング付きタブ９１が上記背板の上端に設けられ、上記タブは、スロット９２によって上記背板から分離されている。上記スプリング付きタブの上方自由端部９３は、上記天板が上記仕切および側板と上記底板とに適切に組み付けられたとき、上記天板上の相補的なストライカ部を係合するように適合されている爪部９６が設けられ、それによって、上記天板を所定の位置に締め付ける。パッド９３は、上記タブを歪めるように指圧を上記タブに印加することを実現し易くするために、それによって、上記相補的な面との爪部９６の係合を解除し、上記天板の係合解除および取り外しを可能にするために、上記スプリング付きタブに形成されている。
【００３４】
図２０，２１，２３，２４をさらに参照すると、仕切および側板２は、その上端に沿った水平リブ１０２で作製され、上記リブは、上記仕切および側板の大部分とほぼ同じ厚さを有するウェブ１００で支持され、上記ウェブは、複数の中間補強バー１０２によって補強されている。リブ１０２の外側端部は、突出する先端部８６の中に形成されている。上記天板の下側に、端溝１０４および中間溝１０５が形成されている。横線に配置され、これらの外側端部に向かって上記溝に、アンカーラグ１０３が配置されている。上記アンカーラグは、上記アンカーラグと上記天板の下側との間に先端部８６を収容するように作製され、上記先端部の直ぐ下にある各ウェブ１００の外側端１１６は、好ましくは、各々の上記アンカーラグの内側端に設けられた切り目に捕捉されている。上記天板は、上記アンカーラグの下で先端部８６まで差し出し、先端部８６を捕捉することにより、上記仕切および側板と上記背板とに組み付けられている。上記差し出しは、上記アンカーラグとの上記先端部の係合が観察されることを可能にするために内側端部で上記天板を上向きに傾けることによって従来通りに実行される。上記係合が視覚的に確認されると、上記天板は、上記アンカーラグとの上記先端部の完全な係合を実施するためにこの天板を内向きに押し進める間に水平位置まで下げられる。上記天板を水平位置まで下げることは、上記仕切および側板のリブ１０２を上記天板の下側にある溝１０４，１０５に差し込み、上記背板の上端に形成されたリブ１１０を上記天板の下側の内側端に差し込む。同時に、スプリング付きタブ９１の上方端部９４は、上記天板の内側端に形成されたストライカ部１０７の角度が付けられた端１０８に接触する爪部９６によって（上記天板の外側端に向かって）前方に弾性的に歪み、上記爪部は、上記ストライカ部の端の上に載り、この端を係合する。１つ以上のバットレス１０９がストライカ部１０７との係合位置でスプリング付きタブ９１の（上記天板の外側端に向かって）直ぐ外向きに上記天板の下側に設けられ、上記バットレスは、指圧がパッド９３に印加されたとき、上記スプリング付きタブの弾性歪を制限するために作用している。上記天板の取り外しは、パッド９３への指圧の印加によってストライカ部の端１１０からの爪部９６の解除で始まる、上記手順の逆によって実施される。図２２をさらに参照すると、隆起レール１１１，１１２，１１３は、上記天板の下側での溝１０４，１０５１０６，１０４，１０５のそれぞれの形成の結果として、上記天板の上面に生成されている。上記天板の上面の隆起レール１１１，１１２，１１３の間の領域１１４は、従来通りに小さい文房具物品などを収容するためにトレイとしての機能を果たす。
【００３５】
図２５をさらに参照すると、１つ以上の爪部７６が連続フランジ７７の下方内側端に設けられている。上記ファイルキャビネットが互いに積層された配置構成で位置付けられたとき、上記爪部は、上記ストライカ部の下端を係合するために、下にある上記天板のストライカ部１０７の外側に亘って下に進むように弾性的に歪む。上記天板の外側端２１との（図１５に示されるように）ウェブ７５の当接と、ストライカ部１０７との爪部７６の係合とは、下にある上記天板の上で上記重なる底板を確実に位置決めするために作用する。
【００３６】
明らかに、本出願に記載された様々な取り付け手段のいずれかの組み合わせは、場合によっては、１つの板を別の板に取り付けるために利用されてもよい。
【００３７】
代替的な実施形態（図示せず）では、小さい窪み部が適切な弾性ポリマーのため作製された緩衝材を収容するために上記底板の下側の適切な位置に設けられている。上記緩衝材は、好ましくは、跡を付けない材料で作製され、上記オープンファイルキャビネットが設置された面を保護し、かつ、上記キャビネットが滑ることを防止するために作用する。
【００３８】
本発明は、その実施形態の全てにおいて、組み立て可能に販売または提供され、購入者または取得者によって容易に組み立てられるのに適している。さらに、組み立てられたユニットは、保管または運搬のため容易に分解される。
【図１】
2015506239.tif 000003
【図２】
2015506239.tif 000004
【図３】
2015506239.tif 000005
【図４】
2015506239.tif 000006
【図５】
2015506239.tif 000007
【図６】
2015506239.tif 000008
【図７】
2015506239.tif 000009
【図８】
2015506239.tif 000010
【図９】
2015506239.tif 000011
【図１０】
2015506239.tif 000012
【図１１】
2015506239.tif 000013
【図１２】
2015506239.tif 000014
【図１３】
2015506239.tif 000015
【図１４】
2015506239.tif 000016
【図１５】
2015506239.tif 000017
【図１６】
2015506239.tif 000018
【図１７】
2015506239.tif 000019
【図１８】
2015506239.tif 000020
【図１９】
2015506239.tif 000021
【図２０】
2015506239.tif 000022
【図２１】
2015506239.tif 000023
【図２２】
2015506239.tif 000024
【図２３】
2015506239.tif 000025
【図２４】
2015506239.tif 000026
【図２５】
2015506239.tif 000027
【国際調査報告】
2015506239.tif 000028
2015506239.tif 000029
2015506239.tif 000030